(57)【要約】【課題】透過原稿を読み取り可能なフラットベッド方式の画像読み取り装置において、読み取り対象が反射原稿であるか透過原稿であるかの自動判別の精度を向上させる。【解決手段】読み取った画像中に、その存在の有無を画像読み取り制御装置が認識することで、読み取り原稿の種別を判別するための識別孔を備えたラットベッド方式の画像読み取り装置で透過原稿を読み取るためのフィルムホルダであって、前記識別孔の副走査方向に交差する縁部が、読み取り面の反対側の面方向に向かって薄くなるように形成されたフィルムホルダ、および、フラットベッド方式の画像読み取り装置で透過原稿を読み取るためのフィルムホルダであって、読み取った画像中に、その存在の有無を画像読み取り制御装置が認識することで、読み取り原稿の種別を判別するためのマークを読み取り側の面に付したフィルムホルダを提供する。【選択図】  図４
2004241838.tif 000002
【特許請求の範囲】
【請求項１】
読み取った画像中に、その存在の有無を画像読み取り制御装置が認識することで、読み取り原稿の種別を判別するための識別孔を備えた、フラットベッド方式の画像読み取り装置で透過原稿を読み取るためのフィルムホルダであって、
前記識別孔の副走査方向に交差する縁部が、読み取り面の反対側の面方向に向かって薄くなるように形成されたことを特徴とするフィルムホルダ。
【請求項２】
前記縁部は階段状に形成されたことを特徴とする請求項１に記載のフィルムホルダ。
【請求項３】
フラットベッド方式の画像読み取り装置で透過原稿を読み取るためのフィルムホルダであって、
読み取った画像中に、その存在の有無を画像読み取り制御装置が認識することで、読み取り原稿の種別を判別するためのマークを読み取り側の面に付したことを特徴とするフィルムホルダ。
【請求項４】
前記マークは、フィルムホルダを反転させた場合に概同位置となる２箇所に、それぞれ異なる形状で付したことを特徴とする請求項３に記載のフィルムホルダ。
【請求項５】
透過原稿を読み取る機構を備えたフラットベッド方式の画像読み取り装置を制御する画像読み取り制御装置であって、
前記画像読み取り装置が読み取った画像の所定の領域内にマークが存在しているかどうかを調べ、
マークが存在している場合には、読み取り対象が透過原稿であると判断することを特徴とする画像読み取り制御装置。
【請求項６】
請求項５に記載の画像読み取り制御装置において、
マークが存在している場合には、マークの形状に基づいて、読み取り対象の透過原稿の種類を判別することを特徴とする画像読み取り制御装置。
【請求項７】
透過原稿を読み取る機構を備えたフラットベッド方式の画像読み取り装置を制御する画像読み取り制御装置で実行可能なプログラムであって、
前記画像読み取り装置が読み取った画像の所定の領域内にマークが存在しているかどうかを調べる処理と、
マークが存在している場合に、読み取り対象が透過原稿であると判断し、透過原稿の読み取りを前記画像読み取り装置に指示する処理とを前記画像読み取り制御装置に実行させることを特徴とするプログラム。
【請求項８】
請求項７に記載のプログラムにおいて、
マークが存在している場合には、マークの形状に基づいて、読み取り対象の透過原稿の種類を判別する処理を、さらに、前記画像読み取り制御装置に実行させることを特徴とするプログラム。
【発明の詳細な説明】
【０００１】
【発明の属する技術分野】
本発明は、フラットベッド方式の画像読み取り装置で透過原稿を読み取るためのフィルムホルダに関する。
【０００２】
【従来の技術】
原稿台に載せられた原稿に対して、読み取り機構を動作させることでデータを読み取る、いわゆるフラットベッド方式の画像読み取り装置が広く普及している。フラットベッド方式の画像読み取り装置は、読み取り機構として一次元の撮像素子（ラインセンサ）を備え、撮像素子と光源とを搭載したキャリッジを原稿に対して移動（副走査）させながら原稿からの反射光を読み取ることで２次元の画像情報を取得するようになっている。
【０００３】
ネガフィルムまたはポジフィルムなどの透過原稿は光を通してしまうため、反射光を読み取るフラットベッド方式の画像読み取り装置では、読み取りに適さない。
【０００４】
そこで、原稿台のカバーに別の光源を設け、フィルムからの透過光を読み取ることで透過原稿を読みとれるようにしたフラットベッド方式の画像読み取り装置が実用化されている。
【０００５】
原稿台のカバーに設けられた光源は面光源であり、フィルムの大きさに合わせて、原稿台の一部、例えば、中央部の副走査方向に伸びた矩形部分を照らすようになっている。この部分が読み取り領域となるため、透過原稿を読みとれるようにしたフラットベッド方式の画像読み取り装置では、読み取り対象のフィルムが読み取り領域内に位置するためのガイドとなるフィルムホルダを用いるようにしている。
【０００６】
図６は、従来のフィルムホルダの外観の概要を示す図である。フィルムホルダ１５０は、３５ｍｍのストリップフィルムを１本収容するストリップフィルムホルダ部１５２と、３５ｍｍのスライド（マウント）フィルムを最大４個収容するスライドフィルムホルダ部１５３とを備えている。それぞれのフィルムホルダ部１５２、１５３の側面側の縁には、フィルムのカーリングを抑え、また、フィルムのズレを防ぐためのフィルム抑え機構が付されている。
【０００７】
ストリップフィルムを読み取る場合には、このフィルムホルダ１５０の右上の角部を、原稿台の右上の角部に一致させた状態で原稿台に置くことで、波線で示した透過原稿読み取り領域内にストリップフィルムホルダ部１５２が位置するようになっている。
【０００８】
一方、スライドフィルムを読み取る場合には、フィルムホルダ１５０を上下反転させ、右上となった角部（図中の左下の角部）を原稿台の右上の角部（原点位置）に一致させた状態で原稿台に置くことで、波線で示した透過原稿読み取り領域内にスライドフィルムホルダ部１５３が位置するようになっている。
【０００９】
また、フィルムホルダ１５０の左上と右下には、長方形の識別孔１５１が設けられている。これは、透過原稿を読みとれるようにしたフラットベッド方式の画像読み取り装置がプレスキャン時に読み取った画像から、ホストコンピュータが読み取り原稿が反射原稿であるか、透過原稿であるかの自動判別を行なえるようにするためである。
【００１０】
すなわち、透過原稿を読みとれるようにしたフラットベッド方式の画像読み取り装置に接続されるホストコンピュータは、プレスキャン画像中の所定の位置で、識別孔１５１を認識した場合には、フィルムホルダ１５０が原稿台に置かれていると判断し、本スキャン時に透過原稿を読み取るための設定を行ない、識別孔１５１を認識しなかった場合には、本スキャン時に反射原稿を読み取るための設定を行なうようにしている。
【００１１】
なお、従来のフィルムホルダに関する技術としては、例えば、特許文献１が知られている。
【００１２】
【特許文献１】
【特開平９−２６６５２４号公報】
【発明が解決しようとする課題】
フィルムホルダ１５０は、フィルムを確実に保持し、かつ、強度および耐久性を備えるために、ある程度、例えば、数ミリ程度の厚さを有している。
【００１３】
図７は、フラットベッド方式の画像読み取り装置が、プレスキャン時にフィルムホルダ１５０の画像を読み取るときの様子を示す図である。本図に示すように、キャリッジ１１３に搭載されたライン光源１１３ａから照射された光は、原稿台に載せられたフィルムホルダ１５０で反射し、反射鏡１１３ｂおよびレンズ１１３ｃを介してラインセンサ１１３ｄに入力する。ライン光源１１３ａと反射鏡１１３ｂとの位置は同一でないため、フィルムホルダ１５０の読み取り箇所に対して光は斜めに当たることになる。
【００１４】
このため、読み取り対象であるフィルムホルダ１５０識別孔１５１の縁部分にフィルムホルダ１５０の厚さに応じた大きさの影が生じることになり、読み取り画像が不鮮明になってしまう。
【００１５】
この結果、読み取った画像の識別孔１５１の境界部分がぼけてしまい、ホストコンピュータが識別孔１５１を認識できずに、反射原稿であるか透過原稿であるかの自動判別を誤ってしまうことがあった。
【００１６】
本発明は、透過原稿を読み取り可能なフラットベッド方式の画像読み取り装置において、読み取り対象が反射原稿であるか透過原稿であるかの自動判別の精度を向上させることを目的とする。
【００１７】
【課題を解決するための手段】
上記課題を解決するため、本発明の第１の態様によれば、
読み取った画像中に、その存在の有無を画像読み取り制御装置が認識することで、読み取り原稿の種別を判別するための識別孔を備えた、フラットベッド方式の画像読み取り装置で透過原稿を読み取るためのフィルムホルダであって、
前記識別孔の副走査方向に交差する縁部が、読み取り面の反対側の面方向に向かって薄くなるように形成されたことを特徴とするフィルムホルダが提供される。
【００１８】
読み取り面の反対側の面方向に向かって薄くなる前記縁部は、例えば、階段状に形成することができる。
【００１９】
これにより、フィルムホルダの厚みによる影の部分が少なくなるため、読み取り画像におけるフィルムホルダの識別孔の境界部分が明瞭になる。したがって、画像読み取り制御装置は、識別孔を認識しやすくなり、反射原稿であるか透過原稿であるかの自動判別の精度を向上させることができる。
【００２０】
また、上記課題を解決するため、本発明の第２の態様によれば、
フラットベッド方式の画像読み取り装置で透過原稿を読み取るためのフィルムホルダであって、
読み取った画像中に、その存在の有無を画像読み取り制御装置が認識することで、読み取り原稿の種別を判別するためのマークを読み取り側の面に付したことを特徴とするフィルムホルダが提供される。
【００２１】
マークは、フィルムホルダの表面に付されるため、フィルムホルダの厚さにかかわらず、明瞭に読み取ることができる。このため、画像読み取り制御装置は、マークの有無を容易に認識できるので、反射原稿であるか透過原稿であるかの自動判別の精度を向上させることができる。
【００２２】
ここで、前記マークは、フィルムホルダを反転させた場合に、概同位置となる２箇所に、それぞれ異なる形状で付すことができる。
【００２３】
これにより、画像読み取り制御装置は、フィルムホルダの向きを識別できるようになる。
【００２４】
また、本発明の第３の態様によれば、
透過原稿を読み取る機構を備えたフラットベッド方式の画像読み取り装置を制御する画像読み取り制御装置であって、
前記画像読み取り装置が読み取った画像の所定の領域内にマークが存在しているかどうかを調べ、
マークが存在している場合には、読み取り対象が透過原稿であると判断することを特徴とする画像読み取り制御装置が提供される。
【００２５】
ここで、マークが存在している場合には、マークの形状に基づいて、読み取り対象の透過原稿の種類を判別するようにすることができる。
【００２６】
さらに、本発明の第３の態様によれば、
透過原稿を読み取る機構を備えたフラットベッド方式の画像読み取り装置を制御する画像読み取り制御装置で実行可能なプログラムであって、
前記画像読み取り装置が読み取った画像の所定の領域内にマークが存在しているかどうかを調べる処理と、
マークが存在している場合に、読み取り対象が透過原稿であると判断し、透過原稿の読み取りを前記画像読み取り装置に指示する処理とを前記画像読み取り制御装置に実行させることを特徴とするプログラムが提供される。
【００２７】
【発明の実施の形態】
本発明の実施の形態について図面を参照して説明する。
【００２８】
図１は、画像読み取りシステムの構成を示すブロック図である。本図に示すように画像読み取りシステム１は、画像読み取り装置１０と、画像読み取り装置１０の制御および画像処理を行なうホストコンピュータ２０とを備えて構成される。画像読み取り装置１０とホストコンピュータ２０とは、双方向通信が可能なそれぞれのインタフェース１１、２１を介して接続される。
【００２９】
画像読み取り装置１０は、原稿台に載せた反射原稿を読み込むフラットベッド方式の画像読み取り装置であるが、後述するように透過原稿を読み込むための機構も備えている。
【００３０】
画像読み取り装置１０は、箱形の筐体の上面に原稿を載せるための透明な原稿台１２と、原稿台１２に載せられた原稿に光を照射しながら図中の矢印方向（副走査方向）に移動して、原稿からの反射光を読み取るキャリッジ１３と、キャリッジ１３が読み取った反射光信号をデジタル変換し、補正等の処理を施した上で画像データに変換する画像処理部１４と、原稿台を覆うための原稿台カバー１５とを備えている。
【００３１】
キャリッジ１３は、ライン光源と、反射鏡と、レンズと、ラインセンサとを備えており、図示しない駆動機構により副走査方向の往復動作を行なう。
【００３２】
原稿台カバー１５の一部には、白色の面光源１５ａが備えられている。この面光源１５ａから光を照射することで、原稿台１２に置かれたフィルム等の透過原稿をキャリッジ１３で読み取ることができるようになっている。このとき、フィルムは、読み取り位置が固定されるようにフィルムフォルダに収められた状態で原稿台１２に置かれる。
【００３３】
ホストコンピュータ２０は、ＣＰＵ２２、ＲＡＭ２３、ＲＯＭ２４、補助記憶装置２５等を備えた汎用的なパーソナルコンピュータを用いて構成することができる。ホストコンピュータ２０には、画像を表示するためのモニタ３０、ユーザからの指示を受け付けるための入力装置４０等が接続される。
【００３４】
また、ホストコンピュータ２０には、画像読み取り装置用の制御プログラムがインストールされている。ＣＰＵ２２がこのプログラムを実行することにより、ホストコンピュータ２０上に画像読み取り制御部が構築され、ホストコンピュータ２０は画像読み取り制御装置として機能する。
【００３５】
図２は、ホストコンピュータ２０上に構築される画像読み取り制御部２００の機能構成を示すブロック図である。
【００３６】
本図に示すように、画像読み取り制御部２００は、画像読み取り装置１０との通信を行なう通信部２０１と、画像読み取り装置１０における画像読み取り処理を制御する読み取り処理制御部２０２と、ユーザからの指示を受け付けたり、画像読み取り処理に関する情報を提示するユーザインタフェース部２０３とを備えている。
【００３７】
なお、画像読み取り装置１０における画像読み取り処理は、実際の画像読み取り処理である本スキャン処理とプレスキャン処理とに分けられる。プレスキャン処理は、本スキャン処理に先立ち、解像度を落として短時間で原稿台１２に置かれた原稿の画像を読み取る処理である。読み取り処理制御部２０２は、プレスキャン処理で読み取った画像に基づいて、原稿台１２に置かれた原稿が反射原稿であるか透過原稿であるかを判別し、本スキャン処理時の読み取り方法および読み取り範囲を設定したり、読み取り解像度等を設定する。
【００３８】
この処理のため、読み取り処理制御部２０２は、プレスキャン処理で読み取った原稿の画像を基に原稿の判別を行なう原稿判別部２０２ａを備えている。
【００３９】
原稿判別部２０２ａは、フィルムホルダが原稿台１２に置かれているかどうかで原稿台１２に置かれた原稿が反射原稿であるか透過原稿であるかを判別するようになっている。すなわち、原稿判別部２０２ａは、プレスキャン処理で読み取った原稿の画像からフィルムホルダを認識した場合には、原稿が透過原稿であると判別し、プレスキャン処理で読み取った原稿の画像からフィルムホルダを認識しなかった場合には、原稿が反射原稿であると判別する。
【００４０】
図３は、本発明を適用したフィルムホルダの第１の実施例の特徴的部分を示す図である。上面からの外観は図６に示した従来技術と同一であるため、説明を省略する。
【００４１】
本図に示すように、本発明の第１の実施例では、フィルムホルダ５０に設ける識別孔６０の副走査方向に交差する縁部を原稿台１２の反対側の面方向に向かって薄くなるように、例えば、階段状に形成する。
【００４２】
このような形状とすることで、フィルムホルダ５０の厚みによる影の部分が少なくなるため、読み取り画像におけるフィルムホルダ５０の識別孔６０の境界部分が明瞭になる。したがって、原稿判別部２０２ａは、識別孔６０を認識しやすくなり、反射原稿であるか透過原稿であるかの自動判別の精度を向上させることができる。
【００４３】
なお、識別孔６０の縁部は、階段状に限らず、例えば、原稿台１２の反対側の面が薄くなるような斜面状に形成してもよい。
【００４４】
つぎに、本発明の第２の実施例について説明する。
【００４５】
図４は、本発明を適用したフィルムホルダの第２の実施例の外観を示す図である。
【００４６】
本図に示すように、フィルムホルダ５０は、３５ｍｍのストリップフィルムを１本収容するストリップフィルムホルダ部５２と、３５ｍｍのスライドフィルムを最大４個収容するスライドフィルムホルダ部５３と、従来の識別孔５１とに加え、図中右上部分にマーク５５と、図中左下部分にマーク５６とを備えている。
【００４７】
なお、本図では、フィルムホルダ５０の図中表側の面にマーク５５、５６が付されているように示されているが、実際には、マーク５５、５６が読み取り画像に含まれるように、図中裏側の原稿台１２に接する面に付される。なお、従来の識別孔５１は、省くようにしてもよい。
【００４８】
読み取り処理制御部２０２の原稿判別部２０２ａは、プレスキャン処理で読み取った画像のマーク５５に対応する箇所付近に、マーク５５あるいはマーク５６を認識した場合に、原稿が透過原稿であると判別するようにする。
【００４９】
マーク５５およびマーク５６は、フィルムホルダ５０の表面に付されるため、フィルムホルダ５０の厚さにかかわらず、明瞭に読み取ることができる。このため、原稿判別部２０２ａは、マーク５５あるいはマーク５６の有無を容易に認識できるので、反射原稿であるか透過原稿であるかの自動判別の精度を向上させることができる。
【００５０】
マーク５５およびマーク５６は、画像中で、より認識しやすいように、フィルムホルダ５０の色に対してコントラストの強い色でマーキングすることが望ましい。例えば、フィルムホルダ５０が黒の場合には、白でマーキングするようにする。
【００５１】
また、マーク５５およびマーク５６は、フィルムホルダ５０に直接塗り付けるようにしてもよいし、シールで貼付するようにしてもよい。
【００５２】
マーク５５とマーク５６とは、異なる形状、特に、線対称以外の形状とすることが望ましい。すなわち、反転させた場合に、同じ位置に異なる形状のマークが現われるようにする。本図では、マーク５５は横長の形状として、マーク５６は縦長の形状としている。このようにマーク５５とマーク５６とを線対称以外の形状とすることで、フィルムホルダ５０を図４に示した状態で原稿台に載せた場合と、図５に示すようにフィルムホルダを反転させた状態で原稿台に載せた場合とを原稿判別部２０２ａが識別できるようになる。
【００５３】
すなわち、図４に示した状態は、ストリップフィルムホルダ部５２が透過原稿読み取り領域内に含まれるため、ユーザは、ストリップフィルムを読み取り対象と意図してフィルムホルダ５０をセットしている。原稿判別部２０２ａは、図中右上の位置に、横長のマーク５５を認識した場合には、原稿が透過原稿であり、さらに、ストリップフィルムが読み取り対象であると判別することができる。
【００５４】
また、図５に示した状態は、スライドフィルムホルダ部５３が透過原稿読み取り領域内に含まれるため、ユーザは、スライドフィルムを読み取り対象と意図してフィルムホルダ５０をセットしている。原稿判別部２０２ａは、図中右上の位置に、縦長のマーク５５を認識した場合には、原稿が透過原稿であり、さらに、ストリップフィルムが読み取り対象であると判別することができる。
【図面の簡単な説明】
【図１】画像読み取りシステムの構成を示すブロック図。
【図２】画像読み取り制御部の機能構成を示すブロック図。
【図３】本発明のフィルムホルダの第１の実施例の特徴的部分を示す図。
【図４】本発明のフィルムホルダの第２の実施例の外観を示す図。
【図５】フィルムホルダを反転させた状態を示す図。
【図６】従来のフィルムホルダの外観を示す図。
【図７】画像読み取り装置がフィルムホルダを読み取るときの様子を示す図。
【符号の説明】
１  画像読み取りシステムシステム、１０  画像読み取り装置、１１  インタフェース、１２  原稿台、１３  キャリッジ、１４  画像処理部、１５  原稿台カバー、１５ａ  面光源、２０  ホストコンピュータ、２１  インタフェース、２２  ＣＰＵ、２３  ＲＡＭ、２４  ＲＯＭ、２５  補助記憶装置、５０  フィルムホルダ、５１  識別孔、５２  ストリップフィルムホルダ部、５３  スライドフィルムホルダ部、５５  マーク、５６  マーク、６０  識別孔、１１３  キャリッジ、１１３ｄ  ラインセンサ、１１３ａ  ライン光源、１１３ｃ  レンズ、１１３ｂ  反射鏡、１５０  フィルムホルダ、１５１  識別孔、１５２  ストリップフィルムホルダ部、１５２  フィルムホルダ部、１５３  スライドフィルムホルダ部、２００  制御部、２０１  通信部、２０２  処理制御部、２０２ａ  原稿判別部、２０３  ユーザインタフェース部
【図１】
2004241838.tif 000003
【図２】
2004241838.tif 000004
【図３】
2004241838.tif 000005
【図４】
2004241838.tif 000006
【図５】
2004241838.tif 000007
【図６】
2004241838.tif 000008
【図７】
2004241838.tif 000009